(57)【特許請求の範囲】
【請求項１】
副容器と連結可能な主容器であって、
縦筒状の主胴部(１２)の下面を閉塞する主底部(１８)を有する主容器体(１０)と、
上記主底部(１８)の下面側に回転自在に嵌着された下蓋(３０)とを具備し、
主底部(１８)は、主底部(１８)の外周部より上記主胴部(１２)内へ起立された、有頂のプラグ包囲筒(２４)を有し、
上記下蓋(３０)は、上記プラグ包囲筒(２４)内に回転可能に嵌入された有頂の主プラグ筒(３４)を有し、
これら主プラグ筒(３４)及びプラグ包囲筒(２４)の各頂部の一方に主栓孔(Ｏ１)が、また他方に主栓孔(Ｏ１)を密閉する主栓部(Ｐ１)及び主通液孔(Ｒ１)がそれぞれ形成されており、
上記主プラグ筒(３４)の外周面には、上記主容器体(１０)に対する下蓋(３０)の螺上昇及び螺下降により主栓孔(Ｏ１)への主栓部(Ｐ１)の着脱を可能とする、プラグ包囲筒(２４)の内面と螺合させた第１主ネジ部(Ｍ１)が設けられており、
上記主プラグ筒(３４)の内周面には、上記副容器との連結用の第２主ネジ部(Ｍ２)が設けられており、
第１主ネジ部(Ｍ１)と第２主ネジ部(Ｍ２)とは逆向きに形成されていることを特徴とする、ネジ連結式の主容器。
【請求項２】
上記第１主ネジ部(Ｍ１)はプラグ包囲筒(２４)の下半筒部(２４ａ)に螺合されており、この下部とプラグ包囲筒の頂部との間に外気置換孔(２６)が開口されていることを特徴とする、請求項１記載のネジ連結式の主容器。
【請求項３】
上記主容器体(１０)の口頸部(１６)に取り付けられた吐出具(３)を具備することを特徴とする、請求項１又は請求項２記載のネジ連結式の主容器。
【請求項４】
主容器と連結可能な副容器であって、
縦筒状の副胴部(４４)から口頂部(４６)を起立するとともに、この口頂部の上面を閉塞するキャップ(４８)を有する副容器体(４０)と、
上記キャップ(４８)の上面側に回転自在に嵌着された上蓋(５６)とを具備し、
キャップ(４８)は、そのキャップ(４８)の外周部(５０)を上記口頂部(４６)に嵌合させるとともに、当該キャップ(４８)の外周部から起立された、有頂のプラグ支持筒(５４)を有し、
上記上蓋(５６)は、プラグ支持筒(５４)外面に回転可能に嵌合された有頂の副プラグ筒(５８)を有し、
これら副プラグ筒(５８)及びプラグ支持筒(５４)の各頂部の一方に副栓孔(Ｏ２)が、また他方に副栓孔(Ｏ２)を密閉する副栓部(Ｐ２)及び副通液孔(Ｒ２)がそれぞれ形成されており、
上記副プラグ筒(５８)の内周面には、上記副容器体(４０)に対する上蓋(５６)の螺下降及び螺上昇により副栓孔(Ｏ２)への副栓部(Ｐ２)の着脱を可能とする、プラグ支持筒(５４)の外面と螺合させた第１副ネジ部(Ｎ１)が設けられており、
上記副プラグ筒(５８)の外周面には、上記主容器との連結用の第２副ネジ部(Ｎ２)が設けられており、
第１副ネジ部(Ｎ１)と第２副ネジ部(Ｎ２)とは逆向きに形成されていることを特徴とする、ネジ連結式の副容器。
【請求項５】
上記副容器体(４０)の副底部(４２)が、副胴部(４４)と別体に副胴部(４４)内を昇降可能な可動壁として形成されており、この副底部(４２)の下面に取手(４２ｃ)が付設されていることを特徴とする、請求項４に記載のネジ連結式の副容器。
【請求項６】
請求項１から請求項３のいずれかに記載の主容器と請求項４又は請求項５に記載の副容器との組み合わせであって、
主容器(２)に対して副容器(３８)を一定方向に回転させることで主プラグ筒(３４)の第２主ネジ部(Ｍ２)に副プラグ筒(５８)の第２副ネジ部(Ｎ２)を螺合させることができ、かつ一定の螺合深さを超えて同じ方向に副容器(３８)を回転させることにより、主栓孔(Ｏ１)及び副栓孔(Ｏ２)がそれぞれ開栓されるように構成したことを特徴とする、ネジ連結式の主容器と副容器との組み合わせ。
【発明の詳細な説明】
【技術分野】
【０００１】
本発明は、ネジ連結式の容器に関する。
【背景技術】
【０００２】
異種液体を混合したり、或いは同種の液体間で使用した分量を補充するために、主容器と副容器との組み合わせが用いられる。例えば主容器が容器体の口頸部に吐出具を装着した吐出容器である場合に、その容器体の口頸部から吐出具を外して、副容器を倒立状態として主容器の口頸部に連結して副容器の内容物を流し込むことが行われていた（特許文献１）。
【先行技術文献】
【特許文献】
【０００３】
【特許文献１】特開平９−２５４９９８
【発明の概要】
【発明が解決しようとする課題】
【０００４】
特許文献１のものでは、主容器の口頸部から副容器の内容物を充填するため、まず口頸部から吐出具を外して、副容器体を倒立状態で連結し、内容物を充填し、さらに副容器を外して再び吐出器を装着しなければならず、作業が面倒であった。
また上記吐出具が、液体吸い上げチューブを備えた吐出器であるときには、取り外したときに、液体吸い上げチューブ等から液体が垂れて、周囲を汚す可能性もあった。
上記吐出具が中栓等であるときには、液体が垂れるという問題に加えて、口頸部への打栓により口頸部内面に固定されている場合があり、容易に取り外すことができないこともあった。
【０００５】
本発明の目的は、ネジ機構を利用して異種を混合し、或いは同種液体を補充できるネジ連結式の容器を提供することである。
【課題を解決するための手段】
【０００６】
第１の手段は、副容器と連結可能な主容器であって、
縦筒状の主胴部１２の下面を閉塞する主底部１８を有する主容器体１０と、
上記主底部１８の下面側に回転自在に嵌着された下蓋３０とを具備し、
主底部１８は、主底部１８の外周部より上記主胴部１２内へ起立された、有頂のプラグ包囲筒２４を有し、
上記下蓋３０は、上記プラグ包囲筒２４内に回転可能に嵌入された有頂の主プラグ筒３４を有し、
これら主プラグ筒３４及びプラグ包囲筒２４の各頂部の一方に主栓孔Ｏ１が、また他方に主栓孔Ｏ１を密閉する主栓部Ｐ１及び主通液孔Ｒ１がそれぞれ形成されており、
上記主プラグ筒３４の外周面には、上記主容器体１０に対する下蓋３０の螺上昇及び螺下降により主栓孔Ｏ１への主栓部Ｐ１の着脱を可能とする、プラグ包囲筒２４の内面と螺合させた第１主ネジ部Ｍ１が設けられており、
上記主プラグ筒３４の内周面には、上記副容器との連結用の第２主ネジ部Ｍ２が設けられており、
第１主ネジ部Ｍ１と第２主ネジ部Ｍ２とは逆向きに形成されている。
【０００７】
本手段では、図１に示すようにネジ機構を利用して副容器３８と連結可能な主容器２を提案している。主容器２は、主容器体１０の下面側に回転可能に装着した下蓋３０を有し、主容器体１０の主底部１８に形成されたプラグ包囲筒２４内に下蓋３０の主プラグ筒３４が嵌入されている。主プラグ筒３４及びプラグ包囲筒２４の各頂部の一方には、主栓孔Ｏ１が、他方には主栓孔Ｏ１を密閉する主栓部Ｐ１及び主通液孔Ｒ１がそれぞれ形成されている。主プラグ筒３４の外周面には、プラグ包囲筒２４の内面と螺合させた第１主ネジ部Ｍ１が設けられている。この螺合構造を利用した、主容器体１０に対する下蓋３０の螺上昇及び螺下降により主栓孔Ｏ１への主栓部Ｐ１の着脱を可能としている。上記主プラグ筒３４の内周面には、上記副容器との連結用の第２主ネジ部Ｍ２が設けられている。この第２主ネジ部Ｍ２は、第１主ネジ部Ｍ１とは逆向きに形成されている。この構造の作用は、第５の手段で開示された主容器と副容器との組み合わせにおいて説明する。
【０００８】
本明細書において、“主容器”及び“副容器”以外で“主”及び“副”という用語を用いるときには、主容器及び副容器の対応箇所に関して、当該対応箇所が両容器の何れの構成要件であるかを示すものとする。対応箇所の一方に関する説明は、技術的に矛盾しない限り、他方に援用するものとする。
「主容器」は、美容液等の化粧品の容器など、様々な容器に使用できる。主容器は、好適な一つの実施例として、主容器体に吐出器を組み込んだ構造とすることができる。しかし、このことは本発明の必須要件ではない。
「逆向きに形成されている」ということは、第１主ネジ部Ｍ１及び第２主ネジ部Ｍ２のうちの一方（好ましくは第２主ネジ部Ｍ２）は主ネジであり、他方は逆ネジであるという意味である。
【０００９】
第２の手段は、第１の手段を有し、かつ
上記第１主ネジ部Ｍ１はプラグ包囲筒２４の下半筒部２４ａに螺合されており、この下部とプラグ包囲筒の頂部との間に外気置換孔２６が開口されている。
【００１０】
本手段では、図１に示すように、プラグ包囲筒２４の下半筒部２４ａに主プラグ筒３４の第１主ネジ部Ｍ１との螺合箇所を設け、この螺合箇所とプラグ包囲筒の頂部との間に外気置換孔２６を設けている。主栓孔Ｏ１が主栓部Ｐ１によって閉栓されている状態では、外気置換孔２６の形成箇所には主プラグ筒３４の対応箇所が液密に当接しているように構成することが望ましい。
【００１１】
第３の手段は、第１の手段又は第２の手段を有し、かつ
上記主容器体１０の口頸部１６に取り付けられた吐出具３を具備している。
【００１２】
本手段では、主容器体１０の口頸部１６に取り付けられた吐出具３を具備する態様を提案する。口頸部１６に吐出具３を付けたままで主容器体１０の主底部１８側から液体を充填できるために利便性が高まる。
「吐出具」は、後述の吐出器の他に、例えば吐出栓、口金などであって、それを付けた状態で口頸部側から液体を充填することが不可能或いは困難なものをいう。
【００１３】
第４の手段は、主容器と連結可能な副容器であって、
縦筒状の副胴部４４から口頂部４６を起立するとともに、この口頂部の上面を閉塞するキャップ４８を有する副容器体４０と、
上記キャップ４８の上面側に回転自在に嵌着された上蓋５６とを具備し、
キャップ４８は、そのキャップ４８の外周部５０を上記口頂部４６に嵌合させるとともに、当該キャップ４８の外周部から起立された、有頂のプラグ支持筒５４を有し、
上記上蓋５６は、プラグ支持筒５４外面に回転可能に嵌合された有頂の副プラグ筒５８を有し、
これら副プラグ筒５８及びプラグ支持筒５４の各頂部の一方に副栓孔Ｏ２が、また他方に副栓孔Ｏ２を密閉する副栓部Ｐ２及び副通液孔Ｒ２がそれぞれ形成されており、
上記副プラグ筒５８の内周面には、上記副容器体４０に対する上蓋５６の螺下降及び螺上昇により副栓孔Ｏ２への副栓部Ｐ２の着脱を可能とする、プラグ支持筒５４の外面と螺合させた第１副ネジ部Ｎ１が設けられており、
上記副プラグ筒５８の外周面には、上記主容器との連結用の第２副ネジ部Ｎ２が設けられており、
第１副ネジ部Ｎ１と第２副ネジ部Ｎ２とは逆向きに形成されている。
【００１４】
本手段では、図２に示すようにネジ機構を利用して主容器２と連結可能な副容器３８を提案している。副容器３８は、副容器体４０のキャップ４８の上面側に回転可能に装着された上蓋５６を有し、キャップ４８が有するプラグ支持筒５４の外面に上蓋５６の副プラグ筒５８が回転可能に嵌合されている。副プラグ筒５８及びプラグ支持筒５４の各頂部の一方に副栓孔Ｏ２が、また他方に副栓孔Ｏ２を密閉する副栓部Ｐ２及び副通液孔Ｒ２がそれぞれ形成されている。そして上記副プラグ筒５８の外周面には、上記主容器との連結用の第２副ネジ部Ｎ２が設けられている。第２副ネジ部Ｎ２は第１副ネジ部Ｎ１とは逆向きに形成されている。
【００１５】
第５の手段は、第４の手段を有し、かつ上記副容器体４０の副底部４２が、副胴部４４と別体に副胴部４４内を昇降可能な可動壁として形成されており、この副底部４２の下面に取手４２ｃが付設されている。
【００１６】
本手段では、図６に示すように、上記副容器体４０の副底部４２が、副胴部４４と別体に副胴部４４内を昇降可能な可動壁として形成されている。この副底部４２の下面に取手４２ｃが付設されており、この取手を操作して内容物を副栓孔Ｏ２から押し出すことを容易にしている。
【００１７】
第６の手段は、第１の手段又は第２の手段に記載の主容器と第３の手段又は第４の手段に記載の副容器との組み合わせであって、
主容器２に対して副容器３８を一定方向に回転させることで主プラグ筒３４の第２主ネジ部Ｍ２に副プラグ筒５８の第２副ネジ部Ｎ２を螺合させることができ、かつ一定の螺合深さを超えて同じ方向に副容器３８を回転させることにより、主栓孔Ｏ１及び副栓孔Ｏ２がそれぞれ開栓されるように構成した。
【００１８】
本手段では、図３〜図５に示すように、ネジ機構を利用して相互に連結可能な主容器２と副容器３８との組み合わせを提案している。すなわち、図３に示す状態から、主容器２に対して副容器３８を回転させることにより、主プラグ筒３４の第２主ネジ部Ｍ２に副プラグ筒５８の外面の第２副ネジ部Ｎ２を螺合させることができる。また第２副ネジ部Ｎ２が第１主ネジ部Ｍ１に一定の螺合深さまで嵌合してそれ以上に螺進できなくなると（図４参照）、それ以上に副容器３８を同じ方向に回転させることにより、第２副ネジ部Ｎ２及び第２副ネジ部Ｎ２と逆向きに形成された、第１主ネジ部Ｍ１及び第２主ネジ部Ｍ２のネジ作用により、主栓孔Ｏ１及び副栓孔Ｏ２がそれぞれ開栓する。
【発明の効果】
【００１９】
第６の手段に係る発明によれば、主容器２は下蓋３０の主プラグ筒３４の外周面にプラグ包囲筒２４の内面と螺合させた第１主ネジ部Ｍ１を形成するとともに、主プラグ筒３４の内周面に第１主ネジ部Ｍ１と逆向きの第２主ネジ部Ｍ２を形成し、副容器３８は上蓋５６の副プラグ筒５８の内周面にプラグ支持筒５４の外面と螺合させた第２主ネジ部Ｍ２を形成するとともに、副プラグ筒５８の外周面に第２主ネジ部Ｍ２と逆向きの第２副ネジ部Ｎ２を形成したから、この第２副ネジ部Ｎ２を第２主ネジ部Ｍ２へ螺入させることにより、主栓孔Ｏ１及び副栓孔Ｏ２を開栓することができ、便利である。
第１の手段は上述の主容器の構成に関して、第４の手段は上記副容器の構成に関してそれぞれ開示したものであり、互いに連結することにより第５の手段の効果を奏する。
第２の手段によれば、プラグ包囲筒２４の一部に外気置換孔２６が開口されているから、内容物の供給がスムーズになる。
第３の手段によれば、主容器体１０の口頸部１６に吐出具３を付けたままで主容器体１０の主底部１８側から液体を充填できるために利便性が高まる。
第５の手段によれば、副容器体４０の副底部４２が、副胴部４４と別体に副胴部４４内を昇降可能な可動壁として形成されており、この副底部４２の下面に取手４２ｃが付設されているから、この取手４２ｃの押込み操作により、内容物を速やかに取り出すことができる。
【図面の簡単な説明】
【００２０】
【図１】本発明の第１実施形態に係るネジ連結式の主容器の縦半断面図である。
【図２】同実施形態に係るネジ連結式の副容器の縦半断面図である。
【図３】同実施形態に係る主容器及び副容器の連結作業の第１行程を示す図である。
【図４】同作業の第２行程を示す図である。
【図５】同作業の第３行程を示す図である。
【図６】本発明の第２実施形態に係るネジ連結式の副容器の縦半断面図である。
【発明を実施するための最良の形態】
【００２１】
図１から図５は、本発明の第１実施形態にネジ連結式の主容器及び副容器の組み合わせを示す。
【００２２】
主容器２は、本実施形態では、図１に示す如く、吐出具である吐出器３と主容器体１０と下蓋３０とで構成している。しかしながらこの構成は適宜変更することができる。これら各部材は合成樹脂や金属等で形成することができる。
【００２３】
まず吐出器３は、後述の主容器体１０の口頸部１６へ取り付け可能な装着部材４を有し、この装着部材４に上端を支持されて、シリンダ５が垂設されている。
このシリンダの下端からはさらに吸い上げチューブＴが下方へ延びている。
上記シリンダ５の上部内には、作動部材７の下部が昇降可能に挿入されており、かつシリンダ５の下部内には、作動部材７の下部と連係させて、ポペット弁体６が昇降可能に縦設されている。
作動部材７はスプリングＳにより上方へ付勢されている。作動部材７は、従来公知のものであり、筒状ピストン７ａと、ピストンガイド７ｂと、ステム７ｃと、押下げヘッド７ｄとを含む。
そしてポペット弁体６とシリンダ５の底部との間には第１逆止弁Ｖ１が、またピストンガイド７ｂの下端部と筒状ピストン７ａとの間には第２逆止弁Ｖ２がそれぞれ形成されており、押下げヘッド７ｄの昇降により、主容器体１０内の液体が第１逆止弁Ｖ１を介してシリンダ５内へ吸込み、かつシリンダ５内から第２逆止弁Ｖ２を介して押下げヘッド７ｄのノズルから吐出されるように構成している。
上記装着部材４の外面には、オーバーキャップ８の下部が液密に嵌着している。
図示例では、装着部材４の外面の上面側から案内筒部４ａを起立している。装着部材４の外面には、装飾部材８ｂが被覆嵌合されており、下方部に係合突起を設けている。オーバーキャップ８の外周壁８ａの下部内面の係合突起は、上記装飾部材８ｂの係合突起に嵌合している。
【００２４】
主容器体１０は、本実施形態において、主容器本体１１と、主底部１８とで構成されている。図示例では、両者を別体としているが、これらを一体に形成してもよい。
【００２５】
主容器本体１１は、下面開放の主胴部１２から肩部１４を介して口頸部１６が起立されてなる。主胴部１２の下部は小外径部１２ａに形成されている。なお、主容器体内には混合液を撹拌するための撹拌用ボールＢが挿入されている。
【００２６】
主底部１８は、上記小外径部１２ａに回転不能に嵌合させた周壁部２０の下端からフランジ部２２を介して有頂筒状のプラグ包囲筒２４が起立されてなる。
このプラグ包囲筒２４の内面は、主プラグ筒３４を嵌挿するためのプラグ嵌合用凹部Ｈを画成する。
またプラグ包囲筒２４の頂部の中心には、後述の主栓孔Ｏ１をシールするための主栓部Ｐ１及び主通液孔Ｒ１が形成されている。これら主栓部Ｐ１及び主通液孔Ｒ１は複数設けても構わない。主栓部Ｐ１は、図示例では、頂部より下方へ突出する形状としているが、シール機能を発揮できるのであればどのような形状でも構わない。
図示のプラグ包囲筒２４は、大径の下半筒部２４ａから内向きフランジ状底壁２４ｂを介して起立する上半筒部２４ｃを有する。上記内向きフランジ状底壁２４ｂには外気置換孔２６が開口しており、かつこの外気置換孔２６より外側に位置させて、内向きフランジ状底壁２４ｂの下面には環状シール部２８が周設されている。
上記下半筒部２４ａは、上記主胴部１２の下部内面に液密に当接している。この下半筒部２４ａの内面に後述の第１主ネジ部Ｍ１と螺着可能なネジ溝Ｇを形成している。もっともこの構成に限らず、当該ネジ溝はプラグ嵌合用凹部Ｈの適所に形成することができる。
【００２７】
下蓋３０は、図示例において、フランジ部２２の下面に当接するリング板３２と、このリング板３２の内周から起立する有頂の主プラグ筒３４とを有している。
主プラグ筒３４は、主底部１８のプラグ嵌合用凹部Ｈ内に嵌挿されており、プラグ嵌合用凹部のネジ溝Ｇと螺合可能な第１主ネジ部Ｍ１が主プラグ筒３４の外面に形成されている。
また主プラグ筒３４の内面には、副容器３８との連結用の第２主ネジ部Ｍ２が形成されている。第２主ネジ部Ｍ２及び第１主ネジ部Ｍ１の向きに関しては後述する。
図示例の主プラグ筒３４は、プラグ包囲筒２４の形状に対応して、大径の下方筒部３４ａから内向きフランジ状壁３４ｂを介して上方筒部３４ｃが起立するように形成されている。そして下方筒部３４ａの外面に上記第１主ネジ部Ｍ１が、下方筒部３４ａの内面に第２主ネジ部Ｍ２がそれぞれ形成されている。
上記主プラグ筒３４の頂部には、プラグ包囲筒２４の主栓部Ｐ１により密閉な主栓孔Ｏ１が開口されている。主栓孔Ｏ１は、上述の主栓部Ｐ１の個数と同数を、各栓部と対応する位置に設けるものとする。図示例と異なり、主プラグ筒３４の頂部に、主栓孔Ｏ１及び主通液孔Ｒ１を、またプラグ包囲筒２４の頂部に主栓孔Ｏ１をそれぞれ形成しても構わない。
上記内向きフランジ状壁３４ｂは、外周部に比べて中央部が高くなるように段差部３６が形成されており、この段差部３６が上記環状シール部２８に液密に当接している。
【００２８】
副容器３８は、図２に示す如く、副容器体４０と、上蓋５６とで形成している。各部材は例えば合成樹脂で形成することができる。
【００２９】
上記副容器体４０は、本実施形態において、副容器本体４１と、キャップ４８とで形成している。
【００３０】
上記副容器本体４１は、副底部４２の外周部から副胴部４４を介して口頂部４６を起立させてなる。
【００３１】
上記キャップ４８は、上記口頂部４６の外面に着脱可能に嵌着させた大径筒部５０を有し、この大径筒部の上端から内方張出し壁部５２を介してプラグ支持筒５４を起立している。大径筒部５０と口頂部４６とは回動不能に嵌合され、かつ両者の間には抜止め手段Ｕが形成されている。
このプラグ支持筒５４の頂部には、副栓孔Ｏ２が形成されている。
図示例では、プラグ支持筒５４は、後述の上蓋５６の形状に対応して、大径の下側筒部５４ａとフランジ状天板部５４ｂと小径の上側筒部５４ｃとで形成している。
【００３２】
上蓋５６は、上記プラグ支持筒５４の外面に嵌着可能な有頂の副プラグ筒５８を有する。この副プラグ筒５８の頂部には、上記副栓孔Ｏ２を閉栓可能な副栓部Ｐ２及び副通液孔Ｒ２が形成されている。副栓孔Ｏ２及び副栓部Ｐ２は、相互に対応する位置に複数設けてもよく、副通液孔Ｒ２も複数設けても構わない。副栓部Ｐ２は、副栓孔をシール可能であればどのような形状でも構わない。
図示例と異なり、副プラグ筒５８の頂部に副栓孔Ｏ２を、副プラグ支持筒の頂部に栓部Ｐ２及び副通液孔Ｒ２をそれぞれ形成しても構わない。
上記副プラグ筒５８の内周面には、プラグ支持筒５４へ螺合可能な第１副ネジ部Ｎ１が、また副プラグ筒５８の外周面には、主容器２への連結用の第２副ネジ部Ｎ２がそれぞれ形成されている。
図示例の副プラグ筒５８は、上記主プラグ筒３４の形状に対応させて、大径の筒壁下部５８ａとフランジ状蓋部５８ｂと小径の筒壁上部５８ｃとで形成しており、その筒壁下部５８ａの内面に第１副ネジ部Ｎ１が、また筒壁下部５８ａの外面に第２副ネジ部Ｎ２が形成されている。
【００３３】
上記第２主ネジ部Ｍ２と第２副ネジ部Ｎ２とは相互に螺合可能に形成する。第２主ネジ部Ｍ２と第２副ネジ部Ｎ２とは同じピッチで形成する。第１主ネジ部Ｍ１或いは第１副ネジ部Ｎ１とは同じピッチでなくても構わない。
【００３４】
また第２主ネジ部Ｍ２及び第２副ネジ部Ｎ２と、第１主ネジ部Ｍ１及び第１副ネジ部とは逆向きに形成するものとする。好ましくは、第２主ネジ部Ｍ２及び第２副ネジ部Ｎ２を正ネジに、第１主ネジ部Ｍ１及び第１副ネジ部Ｎ１を逆ネジに形成するとよい。
このようにする理由は、主容器２に対して副容器３８を同一方向に回転させる動作により、まず正ネジの作用により、主プラグ筒３４内に副プラグ筒５８が進入（「螺進」という）し、進入限度まで副プラグ筒５８が螺進した後には、逆ネジの作用により、プラグ包囲筒２４内から主プラグ筒３４が、また副プラグ筒５８内からプラグ支持筒５４が外方へ退く（「螺退」という）ことが可能となる。そして上記螺退動作により、主栓部Ｐ１が主栓孔Ｏ１から離れ、かつ副栓部が副栓孔Ｏ２から離れる。
【００３５】
すなわち、副プラグ筒５８を螺進させることにより、上記第２副ネジ部Ｎ２及び第２主ネジ部Ｍ２が相互に螺合し、それ以上締め込めなくなると、上述の逆ネジのパーツが螺退する。ネジ部にストッパを設けて螺進の範囲を制限するようにしてもよい。
【００３６】
上記構成において、主容器２及び副容器３８の内容物を混合させるときには、次の手順で行えばよい。
【００３７】
図３に示すように、主容器２及び副容器３８を倒立状態として、主容器２の主プラグ筒３４内に、副容器３８の副プラグ筒５８を向かい合わせて挿入し、主容器２に対して副容器３８を回転させることにより、主プラグ筒３４の第２主ネジ部Ｍ２と副プラグ筒５８の第２副ネジ部Ｎ２とを螺合させる。
そうすると上述のように主プラグ筒３４内に副プラグ筒５８を螺進し、副プラグ筒５８が図４に示す如く進入限度に達すると、プラグ包囲筒２４内から主プラグ筒３４が、また副プラグ筒５８内からプラグ支持筒５４がそれぞれ螺退する（図５参照）。これにより主栓孔Ｏ１が主栓部Ｐ１から、また副栓孔Ｏ２が副栓部Ｐ２からそれぞれ離れて開放され、副容器３８内の液体が副栓孔Ｏ２、副通液孔Ｒ２、主栓孔Ｏ１、主通液孔Ｒ１を経て、主容器２内に入る。
必要量の液体を充填した後に、主容器２に対して副容器３８を反対方向に回転させると、図５→図４→図３の順序で、プラグ包囲筒２４内へ主プラグ筒３４が、また副プラグ筒５８内へプラグ支持筒５４がそれぞれ螺進して、主栓孔Ｏ１及び副栓孔Ｏ２がそれぞれ閉栓し、次に主プラグ筒３４内から副プラグ筒５８が螺退する。この状態で主容器を撹拌して混合液体を使用すればよい。主容器体内に撹拌用ボールを入れたときには、主容器体内の撹拌用ボールの動きにより、２液の混合がより確実に行われる。
【００３８】
なお、図２に示す副容器３８に異なる量の液体を入れたものを複数用意しておき、必要に所要の量の液体のものを選ぶことにより、混合比率を変更することができる。
また、２剤を混合する場合だけでなく、同種の液体を補充する場合にも、同じ手順で実行できる。
【００３９】
以下、本発明の他の実施形態を説明する。その説明において第１実施形態と同じ構成については解説を省略する。
【００４０】
図６は、本発明の第２実施形態のネジ連結式の副容器３８を示している。本実施形態では、副容器体４０の副底部４２を、副容器本体４１の残りの部分と別体に形成し、かつ副胴部４４内を摺動可能な可動底部にしている。この副底部４２は、水平な蓋板４２ａの外周部に形成されたピストン部４２ｂが上記副底部４２の内面に摺接されており、かつ上記蓋板４２ａの下面から取手４２ｃが垂設されている。
従って主容器２と副容器３８とを連結させた状態で、これらを倒立させ、第１実施形態と同様の手順で、副プラグ筒５８を主プラグ筒３４内へ螺進させ、またプラグ包囲筒２４内から主プラグ筒３４を、かつ副プラグ筒５８内からプラグ支持筒５４をそれぞれ螺退させて主栓孔及び副栓孔が開栓された後に、取手４２ｃを持って副容器３８内へ押し込むことで、副容器３８の内容物を強制的に主容器２内へ送り出すことができる。例えば副容器３８の内容物が粘度の高い流体や粉体である場合に好適な態様である。
また本実施形態では、内方張出し壁部５２から起立するプラグ支持筒５４を、内筒部５４Ａ及び外筒部５４Ｂからなる二重筒状とし、内筒部５４Ａの頂部に副栓孔Ｏ２が形成されるとともに、外筒部５４Ｂの外面に、第１副ネジ部Ｎ１と螺合可能なネジ溝Ｇが形成されている。
【符号の説明】
【００４１】
２…主容器
３…吐出具（吐出器）  ４…装着部材  ４ａ…案内筒部
５…シリンダ  ６…ポペット弁体  ７…作動部材
７ａ…筒状ピストン  ７ｂ…ピストンガイド  ７ｃ…ステム  ７ｄ…押下げヘッド
８…オーバーキャップ  ８ａ…外周壁  ８ｂ…シール部材
１０…主容器体  １１…主容器本体
１２…主胴部  １２ａ…小外径部  １４…肩部  １６…口頸部
１８…主底部  ２０…周壁部  ２２…フランジ部
２４…プラグ包囲筒  ２４ａ…下半筒部  ２４ｂ…フランジ状底壁
２４ｃ…上半筒部  ２６…外気置換孔  ２８…環状シール部
３０…下蓋  ３２…リング板
３４…主プラグ筒  ３４ａ…下方筒部  ３４ｂ…フランジ状壁部  ３４ｃ…下方筒部
３６…段差部
３８…副容器
４０…副容器体  ４１…副容器本体
４２…副底部  ４２ａ…蓋板  ４２ｂ…ピストン部  ４２ｃ…取手
４４…副胴部  ４６…口頂部
４８…キャップ  ５０…大径筒部  ５２…内方張出し壁部
５４…プラグ支持筒  ５４ａ…下側筒部  ５４ｂ…フランジ状天板部
５４ｃ…上側筒部  ５４Ａ…内筒部  ５４Ｂ…外筒部
５６…上蓋
５８…副プラグ筒  ５８ａ…筒壁下部  ５８ｂ…フランジ状蓋部  ５８ｃ…筒壁上部
Ｂ…撹拌用ボール  Ｇ…ネジ溝
Ｈ…プラグ嵌合用凹部  Ｍ１…第１主ネジ部  Ｍ２…第２主ネジ部
Ｎ１…第１副ネジ部  Ｎ２…第２副ネジ部  
Ｏ１…主栓孔  Ｏ２…副栓孔  Ｐ１…主栓部  Ｐ２…副栓部
Ｒ１…主通液孔  Ｒ２…副通液孔
Ｓ…スプリング  Ｔ…吸い上げチューブ  Ｕ…抜止め手段
Ｖ１…第１逆止弁  Ｖ２…第２逆止弁
【図１】
0006566478.tif 000002
【図２】
0006566478.tif 000003
【図３】
0006566478.tif 000004
【図４】
0006566478.tif 000005
【図５】
0006566478.tif 000006
【図６】
0006566478.tif 000007